(57)【特許請求の範囲】
【請求項１】
第１の装置と、当該第１の装置と接続可能である第２の装置とを備え、上記第１の装置と第２の装置とを接続することで、所定の処理を行なうことができるセキュリティシステムであって、
上記第１の装置と第２の装置とが接続されたことを検出する検出手段と、
認証画像記録装置に予め記録されている認証用の画像データである認証画像データを取得する認証画像取得手段と、
上記認証画像データと比較するための画像データを撮影する撮像手段と、
上記検出手段によって第１の装置と第２の装置とが接続されたことを検出すると、上記撮像手段を動作させて画像データを撮影するとともに、上記画像データと上記認証画像データとを比較して、両者が所定の一致条件を満たしているか否かを判定する判定手段と、
上記所定の処理を行なう処理手段と、
上記判定手段の判定結果に基づいて、上記処理手段による処理を制御する制御手段と、
上記第１の装置または第２の装置の現在位置を示す位置情報を取得する位置情報取得手段とを備え、
上記認証画像記録装置には、複数の認証画像データが特定の位置情報と関連付けられて記録されており、
上記判定手段は、上記検出手段が上記第１の装置と第２の装置との接続を検出したときに上記位置情報取得手段が取得した位置情報に応じた上記認証画像データと、上記撮像手段が取得した画像データとを比較することを特徴とするセキュリティシステム。
【請求項２】
上記第１の装置が電子機器であり、上記第２の装置がクレイドルであることを特徴とする請求項１記載のセキュリティシステム。
【請求項３】
上記電子機器が、上記認証画像記録装置および撮像手段の少なくとも１つを備えることを特徴とする請求項２記載のセキュリティシステム。
【請求項４】
上記クレイドルが、上記認証画像記録装置および撮像手段の少なくとも１つを備えることを特徴とする請求項２記載のセキュリティシステム。
【請求項５】
上記処理手段は、（Ａ）電子機器が備える二次電池に対しての充電処理、（Ｂ）電子機器が格納するデータを、上記クレイドルを介して更新する処理、および転送する処理のうちの少なくとも１つの処理であるデータ処理、および、（Ｄ）上記クレイドルを介して電子機器に対してアプリケーションソフトをインストールする処理、およびアップデートする処理のうちの少なくとも１つの処理であるアプリケーション処理、のうちの少なくとも１つの処理を行なうものであることを特徴とする請求項２記載のセキュリティシステム。
【請求項６】
上記電子機器は、二次電池を備えており、
上記クレイドルは、上記二次電池に対して充電を行なう充電器を備え、
上記判定手段によって上記画像データと認証画像データとが一致していると判定されると、上記制御手段は、上記二次電池の充電を行なうように上記充電器を制御するものであることを特徴とする請求項２記載のセキュリティシステム。
【請求項７】
上記二次電池に蓄積されている電力量の残量を計測する容量計測手段を備え、
上記電子機器は、上記判定手段および撮像手段の少なくとも一方とを備え、
上記容量計測手段によって計測された上記残量が、上記電子機器が備える判定手段および撮像手段の少なくとも一方を動作させるために必要な電力量よりも少ないと判断すると、制御手段は、上記判定手段および撮像手段を動作させるために必要な電力量だけの充電を行なうように上記充電器を制御することを特徴とする請求項６記載のセキュリティシステム。
【請求項８】
さらに、タイマーと、
外部に警告を発する報知手段とを備え、
上記第１の装置と第２の装置とが接続された時点から所定時間以内に、上記判定手段によって上記画像データと認証画像データとが上記一致条件を満たしていないと判定された場合には、上記制御手段は、上記報知手段を動作させて警告を発することを特徴とする請求項１記載のセキュリティシステム。
【請求項９】
さらに、外部装置と通信する通信手段を備え、
上記第１の装置と第２の装置とが接続された時点から所定時間以内に、上記判定手段によって上記画像データと認証画像データとが上記一致条件を満たしていないと判定された場合には、上記制御手段は、通信手段を動作させて、予め決められた連絡先に警告を通知することを特徴とする請求項８記載のセキュリティシステム。
【請求項１０】
上記制御手段は、通信手段を動作させて、撮像手段によって取得された画像データを上記予め決められた連絡先に送信するものであることを特徴とする請求項９記載のセキュリティシステム。
【請求項１１】
特定の位置情報と上記処理手段による所定の処理とが関連付けられており、
上記制御手段は、上記第１の装置と第２の装置とが接続されたときに、上記位置情報取得手段が取得した位置情報に応じた処理を上記処理手段に実行させることを特徴とする請求項１記載のセキュリティシステム。
【請求項１２】
（Ａ）上記一致条件、（Ｂ）撮像手段による撮影時のズーム倍率、および、（Ｃ）撮像手段による撮影時のチルト角またはパン角の少なくとも１つと特定の位置情報とが関連付けられており、
上記撮像手段は、上記第１の装置と第２の装置とが接続されたときに、上記位置情報取得手段が取得した位置情報に応じて、取得する画像データの解像度、ズーム倍率、および、チルト角またはパン角の少なくとも１つを変化させて画像データを取得することを特徴とする請求項１記載のセキュリティシステム。
【請求項１３】
上記認証画像記録装置には、複数の認証画像データのそれぞれが上記処理手段における処理動作と関連付けられて記録されており、
上記制御手段は、上記所定の一致条件を満たしていると判定された認証画像データに関連付けられている処理手段による処理を行なうものであることを特徴とする請求項１記載のセキュリティシステム。
【請求項１４】
請求項１〜１３のいずれか１項に記載のセキュリティシステムを動作させるセキュリティシステムの制御プログラムであって、コンピュータを上記の各手段として機能させるための制御プログラム。
【請求項１５】
請求項１４に記載の制御プログラムを記録したコンピュータ読取り可能な記録媒体。
【請求項１６】
クレイドルと接続された状態において、所定の処理を行なう電子機器であって、
自装置と上記クレイドルとが接続されたことを検出する検出手段と、
認証画像記録装置に予め記録されている認証用の画像データである認証画像データを取得する認証画像取得手段と、
上記認証画像データと比較するための画像データを撮影する撮像手段と、
上記検出手段によって自装置と上記クレイドルとが接続されたことを検出すると、上記撮像手段を動作させて画像データを撮影するとともに、上記画像データと上記認証画像データとを比較して、両者が所定の一致条件を満たしているか否かを判定する判定手段と、
上記所定の処理を行なう処理手段と、
上記判定手段の判定結果に基づいて、上記処理手段による処理を制御する制御手段と、
自装置の現在位置を示す位置情報を取得する位置情報取得手段とを備え、
上記認証画像記録装置には、複数の認証画像データが特定の位置情報と関連付けられて記録されており、
上記判定手段は、上記検出手段が自装置と上記クレイドルとの接続を検出したときに上記位置情報取得手段が取得した位置情報に応じた上記認証画像データと、上記撮像手段が取得した画像データとを比較することを特徴とする電子機器。
【請求項１７】
電子機器と接続された状態において、所定の処理を行なうクレイドルであって、
自装置と上記電子機器とが接続されたことを検出する検出手段と、
認証画像記録装置に予め記録されている認証用の画像データである認証画像データを取得する認証画像取得手段と、
上記認証画像データと比較するための画像データを撮影する撮像手段と、
上記検出手段によって自装置と上記電子機器とが接続されたことを検出すると、上記撮像手段を動作させて画像データを撮影するとともに、上記画像データと上記認証画像データとを比較して、両者が所定の一致条件を満たしているか否かを判定する判定手段と、
上記所定の処理を行なう処理手段と、
上記判定手段の判定結果に基づいて、上記処理手段による処理を制御する制御手段と、
自装置の現在位置を示す位置情報を取得する位置情報取得手段とを備え、
上記認証画像記録装置には、複数の認証画像データが特定の位置情報と関連付けられて記録されており、
上記判定手段は、上記検出手段が自装置と上記電子機器との接続を検出したときに上記位置情報取得手段が取得した位置情報に応じた上記認証画像データと、上記撮像手段が取得した画像データとを比較することを特徴とするクレイドル。
【発明の詳細な説明】
【技術分野】
【０００１】
本発明は、例えば、デジタルカメラやカメラ機能付き携帯電話、カメラ機能付きＰＤＡ、ノートＰＣ等の電子機器（第１の装置）と、当該電子機器を拡張できる例えばクレイドル等のクレイドル（第２の装置）とを備えたセキュリティシステムであって、上記電子機器とクレイドルとを接続した際に認証を行なうセキュリティシステムに関するものである。
【背景技術】
【０００２】
近年、携帯電話やＰＤＡ等の携帯端末（電子機器）の高機能化に伴い、様々なアプリケーションソフトやデータが電子機器の中に保存されるようになっている。そして、上記電子機器に保存されるデータの中には個人の電子メールや電話番号、住所等が含まれる他に、近年では電子マネーの使用履歴や交通機関の降乗車履歴等含まれることになる。
【０００３】
これら重要データの増加に伴い、上記電子機器の紛失や盗難によってデータが漏洩するという問題に関心が集まっている。
【０００４】
例えば、上記電子機器が携帯電話の場合、当該携帯電話は蓄電池で駆動するようになっており、当該携帯電話を直接コンセントと接続することで充電したり、当該携帯電話を充電台と接続して充電したりするものが一般的である。そして、上記携帯電話では、通信オペレーター（キャリア）の世代毎に充電用の接続端子が共通化されているものが多く、また、例えば、ＰＤＡやノートＰＣ用のクレイドルも簡単に入手可能である。このため、悪意ある第三者に上記携帯電話が渡った場合に、電話帳やメールの内容を読まれてしまうばかりか、たとえ蓄電池の充電が切れたとしても、何度でも容易に充電を繰り返し、内容を読まれてしまうケースがある。
【０００５】
そこで、電子機器を紛失や盗難することにより上記重要データが漏洩することを防ぐための様々なセキュリティ手段が提案されている。
【０００６】
具体的には、電子機器に記録されているデータを保護する方法として、例えば、暗証番号を用いたセキュリティが一般的である。この方法では、ユーザが予め設定された上記暗証番号を入力することで、上記電子機器に記録されているデータを閲覧できる。
【０００７】
また、例えば、近年注目されている指紋をはじめとするバイオメトリクス認証機能を搭載することによってセキュリティの向上を図っている電子機器もある。
【０００８】
ところが、上記暗証番号で重要なデータの閲覧を制限する方法では、暗証番号さえ分かれば、上記データの閲覧が可能になる。そして、何度も繰り返し充電できる携帯電話であれば、時間さえかければ正確な暗証番号を知ることが可能になってしまう。
【０００９】
しかも、暗証番号の桁数は有限であるため、悪意のある第三者がセキュリティ解除をすることも可能であった。例えば４桁の暗証番号であれば、最大で１０４＝１００００回の暗証番号の入力を試みれば解除することが可能である。
【００１０】
また、上記バイオメトリクス認証機能によってデータの漏洩を防ぐ方法では、当該バイオメトリクス認証機能を電子機器に搭載する必要があり、コストが高くなってしまう。さらに、指紋をはじめとするバイオメトリクスによるセキュリティ機能は認識率が１００％ではなく、他人の指紋を登録されている指紋と誤判定してしまう可能性もある。
【００１１】
そこで、電子機器を載置するクレイドルと当該電子機器との間で、コードの確認を行い、一致している場合に充電を行うという技術が提案されている（特許文献１、２、３参照）。
【００１２】
しかしながら、上記従来の技術のように、クレイドルと電子機器との間でＩＤコードの確認を行って一致している場合に充電を行う充電方法では、電子機器を充電する際には当該電子機器と対（ペア）となるクレイドルを用意する必要があり、例えば、出張や旅行などの外出先で充電を行なう場合にはクレイドルを持参する必要があった。
【特許文献１】特表２０００−５１７４８７公報（２０００年１２月２６日公表）
【特許文献２】特開２００２−２０３６１０公報（２００２年７月１９日公開）
【特許文献３】特開平２−２６５３４１号公報（１９９０年１０月３０日公開）
【発明の開示】
【発明が解決しようとする課題】
【００１３】
以上のように、従来から様々な認証方法が提案されている。また、上記した以外の認証方法として、例えば、クレイドルと電子機器とが接続されたときに撮像した画像データと、予め定められた認証用の画像データである認証画像データとを比較して認証する方法が考えられる。
【００１４】
しかしながら、認証を行うときに撮像した画像データを用いる上記のような認証方法では、認証画像データを、例えば置物等の物の画像データとした場合、認証を行うときの位置によっては、その物が存在しないことがあり、このため、認証画像データと対応した画像データを取得できない場合がある。
【００１５】
本発明は、上記の問題点に鑑みてなされたものであり、その目的は、認証を行うときの位置によっては、予め定められた認証画像データに対応した画像データを取得できないという問題を解決するセキュリティシステムを提供することを目的とする。
【課題を解決するための手段】
【００１６】
本発明にかかるセキュリティシステムは、第１の装置と、当該第１の装置と接続可能である第２の装置とを備え、上記第１の装置と第２の装置とを接続することで、所定の処理を行なうことができるセキュリティシステムであって、上記第１の装置と第２の装置とが接続されたことを検出する検出手段と、認証画像記録装置に予め記録されている認証用の画像データである認証画像データを取得する認証画像取得手段と、上記認証画像データと比較するための画像データを撮影する撮像手段と、上記検出手段によって第１の装置と第２の装置とが接続されたことを検出すると、上記撮像手段を動作させて画像データを撮影するとともに、上記画像データと上記認証画像データとを比較して、両者が所定の一致条件を満たしているか否かを判定する判定手段と、上記所定の処理を行なう処理手段と、上記判定手段の判定結果に基づいて、上記処理手段による処理を制御する制御手段と、上記第１の装置または第２の装置の現在位置を示す位置情報を取得する位置情報取得手段とを備え、上記認証画像記録装置には、複数の認証画像データが特定の位置情報と関連付けられて記録されており、上記判定手段は、上記検出手段が上記第１の装置と第２の装置との接続を検出したときに上記位置情報取得手段が取得した位置情報に応じた上記認証画像データと、上記撮像手段が取得した画像データとを比較することを特徴としている。
【００１７】
上記「接続」とは、例えば、嵌合のような機械的な接続であってもよく、導通のような電気的な接続であってもよい。
【００１８】
上記所定の一致条件とは、例えば、上記画像データと上記認証画像データとが一致（完全一致および部分一致を含む）しているか否かを示している。
【００１９】
また、例えば、画像データと認証画像データとの類似度を算出して、この類似度が一定値以上であるか否かを上記一致条件を満たしているか否かの判定に用いてもよい。具体的には、例えば、上記類似度が一定の値以上である場合に「一致」であるとしてもよい。また、上記判定手段は、画像データと認証画像データとの特徴点をそれぞれ抽出し、この特徴点同士を比較して、両者の一致度を、上記一致条件を満たしているか否かの判定に用いてもよい。
【００２０】
上記「所定の処理」としては、例えば、（Ａ）電子機器が備える二次電池に対しての充電処理、（Ｂ）電子機器が格納するデータを、上記クレイドルを介して更新する処理、および転送する処理のうちの少なくとも１つの処理であるデータ処理、および、（Ｄ）上記クレイドルを介して電子機器に対してアプリケーションソフトをインストールする処理、およびアップデートする処理のうちの少なくとも１つの処理であるアプリケーション処理、のうちの少なくとも１つの処理が挙げられる。
【００２１】
上記の構成によれば、上記第１の装置が第２の装置に接続されると、撮像手段から画像データを取得し、当該画像データと認証画像データとが所定の一致条件を満たしているか否かを判定している。具体的には、上記画像データと認証画像データとが一致（完全一致および部分一致を含む）しているか否かを判定している。そして、上記判定手段の判定結果に基づいて、上記処理手段の動作を制御している。
【００２２】
つまり、第１の装置が第２の装置と接続された時点で画像データを取得するので、認証画像データを正規のユーザしか撮影できないような画像データに設定しておくことにより、他のユーザは、画像データを取得しても、認証画像データとの一致条件を満足させることができない。そして、画像データと認証画像データとの一致条件が満足しない、すなわち、画像データと認証画像データとが一致しないと判定した場合には、処理手段を動作させないように制御することができる。
【００２３】
具体的には、例えば、上記認証画像データとして、例えば正規ユーザの顔の画像データを記録させておいた場合には、上記正規のユーザ以外の他人は、画像データと認証画像データとを一致させることができない。従って、上記の構成とすることで、特定のユーザのみに認証を行なうことができる。そして、正しく認証された場合のみに処理手段が動作するように制御することができる。
【００２４】
これにより、悪意ある第三者による上記所定の処理の実行（処理手段における処理）を防止することができる。つまり、電子機器の正当な所有者のみに処理手段による処理を許可することができる。
【００２５】
ここで、例えば、上記認証画像データが、置物等の物に基づく画像データの場合、上記第１の装置および第２の装置が存在する位置によっては、撮像手段を用いて認証画像データと対応した画像データを取得できない場合がある。
【００２６】
このため、上記構成では、取得した位置情報に応じた認証画像データを用いている。これにより、第１の装置および第２の装置が存在する位置によっては、認証画像データに対応した画像データを取得できない等の問題を解決することができ、より確実に認証を行なうことができる。
【００２７】
本発明にかかるセキュリティシステムにおいて、上記第１の装置が電子機器であり、上記第２の装置がクレイドルである構成であってもよい。
【００２８】
また、本発明にかかる電子機器は、クレイドルと接続された状態において、所定の処理を行なう電子機器であって、自装置と上記クレイドルとが接続されたことを検出する検出手段と、認証画像記録装置に予め記録されている認証用の画像データである認証画像データを取得する認証画像取得手段と、上記認証画像データと比較するための画像データを撮影する撮像手段と、上記検出手段によって自装置と上記クレイドルとが接続されたことを検出すると、上記撮像手段を動作させて画像データを撮影するとともに、上記画像データと上記認証画像データとを比較して、両者が所定の一致条件を満たしているか否かを判定する判定手段と、上記所定の処理を行なう処理手段と、上記判定手段の判定結果に基づいて、上記処理手段による処理を制御する制御手段と、自装置の現在位置を示す位置情報を取得する位置情報取得手段とを備え、上記認証画像記録装置には、複数の認証画像データが特定の位置情報と関連付けられて記録されており、上記判定手段は、上記検出手段が上記第１の装置と第２の装置との接続を検出したときに上記位置情報取得手段が取得した位置情報に応じた上記認証画像データと、上記撮像手段が取得した画像データとを比較することを特徴としている。
【００２９】
また、本発明にかかるクレイドルは、電子機器と接続された状態において、所定の処理を行なうクレイドルであって、自装置と上記電子機器とが接続されたことを検出する検出手段と、認証画像記録装置に予め記録されている認証用の画像データである認証画像データを取得する認証画像取得手段と、上記認証画像データと比較するための画像データを撮影する撮像手段と、上記検出手段によって自装置と上記電子機器とが接続されたことを検出すると、上記撮像手段を動作させて画像データを撮影するとともに、上記画像データと上記認証画像データとを比較して、両者が所定の一致条件を満たしているか否かを判定する判定手段と、上記所定の処理を行なう処理手段と、上記判定手段の判定結果に基づいて、上記処理手段による処理を制御する制御手段と、自装置の現在位置を示す位置情報を取得する位置情報取得手段とを備え、上記認証画像記録装置には、複数の認証画像データが特定の位置情報と関連付けられて記録されており、上記判定手段は、上記検出手段が上記第１の装置と第２の装置との接続を検出したときに上記位置情報取得手段が取得した位置情報に応じた上記認証画像データと、上記撮像手段が取得した画像データとを比較することを特徴としている。
【００３０】
上記クレイドルとは、スタンド型の拡張機器である。上記電子機器をクレイドルに載置（設置）することで、電子機器とクレイドルとを接続する。また、上記クレイドルには、電子機器が蓄電池にて駆動する場合には、当該蓄電池を充電する充電機能が備わっていてもよい。また、上記クレイドルは、当該クレイドルを介して例えば、キーボードやモデムなどの周辺機器を接続することも可能である。また、上記クレイドルとしては、例えば、電子機器がノート型のパソコンの場合には、拡張キット（ドッキングステーション）等が挙げられ、上記電子機器が携帯電話、デジタルカメラ等の蓄電池で駆動する携帯型電子機器の場合には、充電用スタンド等が挙げられる。
【００３１】
また、上記電子機器は、電力によって駆動するものであり、通信処理、撮影処理、表示処理、演算処理、および画像処理等のうちの少なくとも１つの情報処理を行なうものである。上記電子機器としては、具体的には、例えば、携帯電話、デジタルカメラ、パソコンおよびＰＤＡ等が挙げられる。
【００３２】
上記の構成によれば、上記電子機器がクレイドルに設置（接続）されると、撮像手段から画像データを取得し、当該画像データと認証画像データとが一致しているか判定している。つまり、電子機器がクレイドルに設置された時点で画像データを取得するので、認証画像データを正規のユーザしか撮影できないような画像データに設定しておくことにより、他のユーザは、画像データを取得しても、認証画像データと一致させることができない。
【００３３】
また、上記の構成によれば、取得した位置情報に応じた認証画像データを用いているので、認証画像データに対応した画像データを取得できない等の問題を解決することができ、より確実に認証を行なうことができる。
【００３４】
本発明にかかるセキュリティシステムにおいて、上記電子機器が、上記認証画像記録装置および撮像手段の少なくとも１つを備える構成であってもよい。
【００３５】
上記構成によれば、上記電子機器に認証画像記録装置および撮像手段との少なくとも１つが設けられている。これにより、クレイドルの構成を簡単にすることができる。また、例えば、電子機器が撮像手段を備えている場合には、上記電子機器をデジタルカメラとして使用することができる。
【００３６】
本発明にかかるセキュリティシステムにおいて、上記クレイドルが、上記認証画像記録装置および撮像手段の少なくとも１つを備える構成であってもよい。
【００３７】
上記の構成によれば、クレイドルに認証画像記録装置および撮像手段との少なくとも１つが設けられている。これにより、例えば、撮像手段を備える必要のない電子機器に対して、認証用の撮像手段を設ける必要がない。従って、電子機器に、認証のために必要な構成を追加する必要がないので、電子機器の構成を簡単にすることができる。
【００３８】
本発明にかかるセキュリティシステムにおいて、上記処理手段は、（Ａ）電子機器が備える二次電池に対しての充電処理、（Ｂ）電子機器が格納するデータを、上記クレイドルを介して更新する処理、および転送する処理のうちの少なくとも１つの処理であるデータ処理、および、（Ｄ）上記クレイドルを介して電子機器に対してアプリケーションソフトをインストールする処理、およびアップデートする処理のうちの少なくとも１つの処理であるアプリケーション処理、のうちの少なくとも１つの処理を行なう構成であってもよい。
【００３９】
上記処理手段は、上記（Ａ）〜（Ｄ）の少なくとも１つの処理を行なうことができる。従って、上記判定手段の判定結果に応じて上記処理手段の動作を制御することができるので、上記（Ａ）〜（Ｄ）の処理を、例えば、電子機器の正当な所有者のみに許可することができる。
【００４０】
本発明にかかるセキュリティシステムにおいて、上記電子機器は、二次電池を備えており、上記クレイドルは、上記二次電池に対して充電を行なう充電器を備え、上記判定手段によって上記画像データと認証画像データとが一致していると判定されると、上記制御手段は、上記二次電池の充電を行なうように上記充電器を制御する構成であってもよい。
【００４１】
上記の構成によれば、上記充電器が処理手段に相当する。そして、制御手段は、上記判定手段によって上記両者が一致していると判定されると、電子機器が備える二次電池の充電を許可する。
【００４２】
つまり、上記両者が一致していると認証された場合に、二次電池の充電を行なうことができるので、例えば、電子機器の正当な所有者のみに充電を許可することができる。
【００４３】
本発明にかかるセキュリティシステムにおいて、上記二次電池に蓄積されている電力量の残量を計測する容量計測手段を備え、上記電子機器は、上記判定手段および撮像手段の少なくとも一方とを備え、上記容量計測手段によって計測された上記残量が、上記電子機器が備える判定手段および撮像手段の少なくとも一方を動作させるために必要な電力量よりも少ないと判断すると、制御手段は、上記判定手段および撮像手段を動作させるために必要な電力量だけの充電を行なうように上記充電器を制御する構成であってもよい。
【００４４】
上記電子機器に、上記判定手段および撮像手段の少なくとも一方が備えられており、電子機器を駆動させる二次電池の残量が、電子機器が備えている上記手段を動作させるために必要な電力量よりも少ない場合には、認証を行なうことができない。
【００４５】
上記の構成によれば、上記二次電池に、上記判定手段および撮像手段を動作させるために必要な量の電力がない場合には、上記必要な量の電力になるように充電を行なっている。これにより、認証動作を行なうことができるとともに、必要以上の充電を行なわないので、電子機器は、上記認証動作以外の動作を行なうことができない。
【００４６】
本発明にかかるセキュリティシステムにおいて、さらに、タイマーと、外部に警告を発する報知手段とを備え、上記第１の装置と第２の装置とが接続された時点から所定時間以内に、上記判定手段によって上記画像データと認証画像データとが上記一致条件を満たしていないと判定された場合には、上記制御手段は、上記報知手段を動作させて警告を発する構成であってもよい。
【００４７】
上記の構成によれば、画像データと認証画像データとが、一定時間内に一致していると判断されない（つまり、所定の一致条件を満たしていないと判定された）場合には、警告を発する。これにより、悪意の第三者が認証処理を行なった場合には、上記画像データと認証画像データとは一致条件を満たさない（一致しない）ので、警告を発することができる。
【００４８】
本発明にかかるセキュリティシステムにおいて、さらに、外部装置と通信する通信手段を備え、上記第１の装置と第２の装置とが接続された時点から所定時間以内に、上記判定手段によって上記画像データと認証画像データとが上記一致条件を満たしていないと判定された場合には、上記制御手段は、通信手段を動作させて、予め決められた連絡先に警告を通知する構成であってもよい。
【００４９】
上記の構成によれば、画像データと認証画像データとが、一定時間内に一致条件を満たしていると判定されない場合には、通信手段を動作させて所定の連絡先に一致しない旨を通知する。これにより、例えば、上記第１の装置または第２の装置の所有者に対して、認証が行なわれたことを通知することができる。従って、所有者は、上記第１の装置または第２の装置を紛失または盗難にあったことを知ることができる。
【００５０】
本発明にかかるセキュリティシステムにおいて、上記制御手段は、通信手段を動作させて、撮像手段によって取得された画像データを上記予め決められた連絡先に送信する構成であってもよい。
【００５１】
上記の構成によれば、撮像手段によって取得された画像データを所定の連絡先に併せて送付する。これにより、例えば、悪意の第三者が認証処理を行なった場合で画像データと認証画像データとが一致条件を満たさない（一致しない）場合には、上記撮像手段で撮影した画像データを上記第１の装置または第２の装置の所有者に送信できる。これにより、上記悪意の第三者の特定を有効に行なうことができる。
【００５２】
本発明にかかるセキュリティシステムにおいて、特定の位置情報と上記処理手段による所定の処理とが関連付けられており、上記制御手段は、上記第１の装置と第２の装置とが接続されたときに、上記位置情報取得手段が取得した位置情報に応じた処理を上記処理手段に実行させる構成であってもよい。
【００５３】
上記の構成によれば、第１の装置と第２の装置とが接続された位置情報に基づいて、予め位置情報と関連付けられている処理を行なう。これにより、例えば、第１の装置と第２の装置とが接続された位置が会社の場合には自動的にデータの転送と消去を行い、上記接続された位置が出張先のホテルや自宅の場合には単に充電モードに移行する、というような場所によって実行されるモードを異ならせることができる。
【００５４】
本発明にかかるセキュリティシステムにおいて、（Ａ）上記一致条件、（Ｂ）撮像手段による撮影時のズーム倍率、および、（Ｃ）撮像手段による撮影時のチルト角またはパン角の少なくとも１つと特定の位置情報とが関連付けられており、上記撮像手段は、上記第１の装置と第２の装置とが接続されたときに、上記位置情報取得手段が取得した位置情報に応じて、取得する画像データの解像度、ズーム倍率、および、チルト角またはパン角の少なくとも１つを変化させて画像データを取得する構成であってもよい。
【００５５】
上記位置情報取得手段とは、例えば、衛星から位置情報を取得するものであり、具体的には、ＧＰＳ等が挙げられる。
【００５６】
上記の構成によれば、撮像手段による撮影条件と位置情報とが関連づけられており、上記撮像手段は、位置情報取得手段にて取得された位置情報（上記第１の装置と第２の装置とが接続された位置情報）に基づいて、撮影条件を変更して上記画像データを取得する。
【００５７】
具体的には、例えば、画像データを取得する際に、上記判定手段により判定される画像データと認証画像データとの一致条件によって、取得する画像データの解像度を変えることができる。これにより、第１の装置と第２の装置とが接続された位置情報に基づいて解像度を変化させる場合、例えば、第１の装置のユーザが自宅にいる場合には、悪意ある第３者に使用されている可能性は低いので低解像度で画像データを取得する一方で、ユーザが外にいる場合（第１の装置が外にある場合）には高解像度で画像データを取得するといったことができる。従って、詳細に認証処理を行なう場合と簡単に認証処理を行なう場合とを、位置情報によって使い分けることができる。
【００５８】
また、第１の装置と第２の装置とが接続された位置情報に基づいてズーム倍率を変更させる場合には、例えば、第１の装置のユーザが自宅にいる場合にはズームを行なうことなく画像データを取得するとともに、第１の装置が外にあり例えば、ユーザの所持品に基づく認証用の画像データを取得する場合には、ズームを行なって画像データを取得するといったことができる。
【００５９】
また、例えば、自宅では第２の装置の設置位置が固定されており、撮像手段を特定のチルト角および／またはパン角にて画像データを取得する場合には、上記位置情報と上記チルト角および／またはパン角とを予め対応付けておくことにより、第１の装置と第２の装置とを自宅で接続した場合に、予め設定しておいたチルト角およびパン角で画像データを取得することができる。これにより、認証を行なうための画像データをより簡単に取得することができる。
【００６０】
このように、接続位置に応じて、撮像手段による撮影条件を予め設定しておくことができる。
【００６１】
本発明にかかるセキュリティシステムにおいて、上記認証画像記録装置には、複数の認証画像データのそれぞれが上記処理手段における処理動作と関連付けられて記録されており、上記制御手段は、上記所定の一致条件を満たしていると判定された認証画像データに関連付けられている処理手段による処理を行なう構成であってもよい。
【００６２】
上記の構成によれば、複数の認証画像データのそれぞれと処理手段による処理とが関連付けられており、上記制御手段は、判定手段にて、所定の一致条件を満たしていると判定された認証画像データに関連付けられている処理手段による処理が行なわれるように、上記処理手段を制御している。
【００６３】
これにより、撮像手段にて撮影される画像データによって、処理手段における処理を変更することができる。
【００６４】
なお、上記セキュリティシステムは、コンピュータによって実現してもよく、この場合には、コンピュータを上記各手段として動作させることにより上記セキュリティシステムをコンピュータにて実現させるセキュリティシステムの制御プログラムおよびそれを記録したコンピュータ読取り可能な記録媒体も本発明の範疇に入る。
【発明の効果】
【００６５】
本発明にかかるセキュリティシステムは、第１の装置と、当該第１の装置と接続可能である第２の装置とを備え、上記第１の装置と第２の装置とを接続することで、所定の処理を行なうことができるセキュリティシステムであって、上記第１の装置と第２の装置とが接続されたことを検出する検出手段と、認証画像記録装置に予め記録されている認証用の画像データである認証画像データを取得する認証画像取得手段と、上記認証画像データと比較するための画像データを撮影する撮像手段と、上記検出手段によって第１の装置と第２の装置とが接続されたことを検出すると、上記撮像手段を動作させて画像データを撮影するとともに、上記画像データと上記認証画像データとを比較して、両者が所定の一致条件を満たしているか否かを判定する判定手段と、上記所定の処理を行なう処理手段と、上記判定手段の判定結果に基づいて、上記処理手段による処理を制御する制御手段と、上記第１の装置または第２の装置の現在位置を示す位置情報を取得する位置情報取得手段とを備え、上記認証画像記録装置には、複数の認証画像データが特定の位置情報と関連付けられて記録されており、上記判定手段は、上記検出手段が上記第１の装置と第２の装置との接続を検出したときに上記位置情報取得手段が取得した位置情報に応じた上記認証画像データと、上記撮像手段が取得した画像データとを比較する構成である。
【００６６】
これにより、悪意ある第三者による上記所定の処理の実行（処理手段における処理）を防止することができるという効果を奏する。つまり、電子機器の正当な所有者のみに処理手段による処理を許可することができる。また、第１の装置および第２の装置が存在する位置によっては、認証画像データに対応した画像データを取得できない等の問題を解決することができ、より確実に認証を行なうことができるという効果を奏する。
【発明を実施するための最良の形態】
【００６７】
本発明の一実施形態について説明すると以下の通りである。すなわち、本実施の形態にかかるセキュリティシステムは、電子機器（第１の装置）と、当該電子機器と接続可能な拡張装置（第２の装置）とを備えており、電子機器と拡張装置とが接続されたことを検出すると上記セキュリティシステムが備える撮像手段を用いて画像データを取得し、この取得した画像データと認証用の画像である認証画像データが予め記録されている画像記録装置から上記認証画像データを取得し、上記画像データと上記認証画像データとを比較して、両者の類似度を算出すことで、両者が一致しているか否かを判定するものである。そして、上記両者が一致していると判定した場合には、任意のモード（動作、処理）を行なう。なお、以下の説明では、第１の装置として電子機器、第２の装置として上記電子機器の機能を拡張することができる拡張装置を例に説明する。
【００６８】
上記電子機器は、電力によって駆動するものである。上記電子機器としては、具体的には、例えば、携帯電話、ＰＤＡ（Personal Digital Assistance）、デジタルカメラ、ノード型パソコン等が挙げられる。
【００６９】
また、拡張装置とは、電子機器（携帯端末）に付属する拡張機器のことである。上記拡張装置としては、例えば、上記電子機器を載置することができるスタンド型のクレイドル等が挙げられる。このクレイドルに電子機器を載せるだけで、当該クレイドルと電子機器とを接続することができる。そして、クレイドルに電子機器を設置（載置）することで、例えば、パソコンとケーブルで接続してデータを同期させたり、電子機器を充電したりすることができる。また、上記クレイドルにはシリアルポートやＵＳＢポートが設けられている場合があり、このポートを介して電子機器にキーボードやモデム等の周辺機器を接続することができる。
【００７０】
本実施の形態にかかるセキュリティシステムは、携帯電話等の電子機器（第１の装置）と当該携帯電話を載置可能なクレイドル等の拡張装置（第２の装置）とを備えており、さらに、少なくとも撮像部（撮像手段）と接続検出部（検出手段）と照合画像記録装置（認証画像記録装置）と判定部（判定手段）とを備えている。この撮像部、接続検出部、認証画像記録装置および判定部は、上記電子機器に全て備えられていてもよく、クレイドルに全て備えられていてもよい。また、例えば、電子機器に撮像部が備えられており、他の接続検出部、認証画像記録装置および判定部がクレイドルに備えられている構成としてもよい。なお、以下の説明では、電子機器の一例として、携帯電話を例に説明する。
【００７１】
ここで、上記撮像部と接続検出部と認証画像記録装置と判定部とが携帯電話に備えられている例について説明する。なお、以下の説明では、上記携帯電話が二次電池（蓄電池）によって駆動するものであり、クレイドルから上記携帯電話に対して上記二次電池の充電を行なうことができる構成について説明する。なお、上記電子機器としては、特に限定されるものではないが、例えば、撮像手段を備えているカメラ付き携帯電話およびデジタルカメラ等がより好ましい。この場合には、上記撮像手段を、上記画像データを取得する用途に使用できるため、別に撮像手段を新たに設ける必要がない。
【００７２】
図１は、本実施の形態にかかるセキュリティシステムの概略構成を説明するブロック図である。上記セキュリティシステムは、携帯電話１と当該携帯電話１を載置（設置）可能なクレイドル２とから構成されている。
【００７３】
上記携帯電話１は、無線によって相手と通話ができるものである。そして、この携帯電話１は、撮像部１８を備えており、カメラ機能を備えているものである。
【００７４】
上記携帯電話１は、図１に示すように、撮像部１８（撮像手段）、接続検出部１９（検出手段）、端末側制御部１０（制御手段）および認証画像取得部１４（認証画像取得手段）を少なくとも備えている。そして、上記携帯電話１は、必要に応じて、通信部１２（処理手段）、揮発性メモリ１７、画像処理部１６、タイマー１３、端末側Ｉ／Ｆ部２０、電源制御部２１（処理手段）、蓄電池２２、残量検出部２３、マイク２５、照合画像記録装置１５（認証画像記録装置）、操作部２４および報知部１１（処理手段）を備えていてもよい。
【００７５】
上記通信部１２は、外部の端末（装置）と通信（通話）を行うものである。上記通信部１２は、通信制御部３６と通信Ｉ／Ｆ部３７とを備えている。上記通信制御部３６は、外部端末と通信する際に、通信に関する処理を制御するものである。上記通信Ｉ／Ｆ部３７とは、例えばアンテナであり、外部端末に対して通信の送受信を行なうものである。
【００７６】
撮像部１８は、画像データを取得するものである。上記撮像部１８とは、例えば、ＣＣＤやＣＭＯＳイメージャ等の撮像素子であり、光学的に外部の映像（状態、景色）を撮像するものである。
【００７７】
上記画像処理部１６は、上記撮像部１８によって撮像された画像データに対して各種の画像処理を行なうものである。具体的には、上記画像処理部１６は、例えば、撮像部１８で撮像されたＲＧＢ信号をＣＭＹＫ信号に変換したり、各種の画像補正（γ補正等）をしたりするものである。
【００７８】
上記揮発性メモリ１７は、上記画像処理部１６が画像処理を行なう際の実行メモリである。なお、上記揮発性メモリ１７は、上記画像処理を行なう際のみならず、他の処理（例えば、通信処理）等を行なう際の実行メモリでもある。
【００７９】
上記照合画像記録装置１５は、不揮発性の記録装置であり、後述する判定部３８において照合元（認証元）となる認証画像データを記録するものである。上記照合画像記録装置１５としては、例えば、ハードディスク、ＲＯＭおよびフラッシュメモリ等の少なくとも１つが挙げられる。
【００８０】
上記認証画像取得部１４は、上記照合画像記録装置１５から上記認証画像データを取得するものである。
【００８１】
タイマー１３は、現在の時刻を示すものであり、所定の時点からの経過時間をカウントするものでもある。
【００８２】
上記報知部１１は、外部に対して各種の情報を報知するものである。上記報知部１１は、表示部３３、スピーカ３１、発光部３２を備えている。
【００８３】
上記表示部３３は、外部に対して文字情報や画像データを表示するものである。上記表示部３３は、表示装置３４と表示ドライバ３５とを備えている。表示装置３４は、外部に情報を表示するためのものであり、具体的には、液晶パネルや有機ＥＬパネル等が挙げられる。上記表示ドライバ３５は、上記表示装置３４を駆動するものである。
【００８４】
上記スピーカ３１は、外部に対して、音および音声を出力するものである。上記スピーカ３１は、例えば、上記携帯電話１を使用して外部端末と通話を行なう場合には、当該外部端末から送信されてきた音声情報を出力する。
【００８５】
上記発光部３２は、外部に対して発光することにより、例えば、ユーザに対して報知すべき情報があることを報知するものである。また、上記発光部３２は、撮像部１８を使用して撮像を行なう際にフラッシュとして機能する場合もある。また、上記発光部３２は、表示装置３４のバックライトとして機能する場合もある。
【００８６】
上記操作部２４は、ユーザからの操作を受付けるものである。具体的には、上記操作部２４としては、ボタンやスイッチ、タッチパネル等が挙げられる。
【００８７】
上記マイク２５は、音声を入力するものである。上記携帯電話１を用いて通話を行なう場合には、上記マイク２５から音声を入力する。
【００８８】
上記蓄電池２２は、上記携帯電話１に対して電力を供給するものである。上記携帯電話１は、上記蓄電池２２から電力を供給されることにより駆動する。そして、上記蓄電池２２は、二次電池であり充電が可能である。上記残量検出部２３は、上記蓄電池２２に蓄積されている電力の残量を検出するものである。
【００８９】
上記電源制御部２１は、蓄電池２２から供給される電力を制御するものである。また、上記電源制御部２１は、上記蓄電池２２に対して行う充電を制御するものでもある。
【００９０】
上記端末側Ｉ／Ｆ部２０は、クレイドル２と電気的に接続するための端子である。上記携帯電話１をクレイドル２に載置すると、当該携帯電話１とクレイドル２とは電気的に接続される。
【００９１】
上記接続検出部１９は、上記携帯電話１がクレイドル２に載置されたことを検出するものである。
【００９２】
上記端末側制御部１０は、上記携帯電話１に備えられた各種部材（報知部１１、通信部１２、タイマー１３、照合画像記録装置１５、画像処理部１６、接続検出部１９、端末側Ｉ／Ｆ部２０、電源制御部２１、マイク２５、および操作部２４）の動作の制御を行なうものである。そして、上記制御部は、判定部３８（判定手段）を備えている。
【００９３】
上記判定部３８は、上記撮像部１８によって取得された画像データと照合画像記録装置１５に記録されている認証画像データとの類似度を算出し、両者が一致（部分一致を含む）しているか否かを判定するものである。すなわち、上記判定部３８は、上記画像データと認証画像データとが所定の一致条件を満たしているか否かを判定するものである。なお、上記判定部３８の詳細については後述する。
【００９４】
次に、上記携帯電話１を設置するクレイドル２について説明する。
【００９５】
上記クレイドル２は、図１に示すように、電源Ｉ／Ｆ部５２（充電器、処理手段）、クレイドル側Ｉ／Ｆ部５１、クレイドル側制御部５３および外部Ｉ／Ｆ部５４を備えている。
【００９６】
上記クレイドル側Ｉ／Ｆ部５１は、上記クレイドル２と携帯電話１とを電気的に接続する端子である。上記電源Ｉ／Ｆ部５２は、上記携帯電話１に対して電力を供給するためのものである。上記外部Ｉ／Ｆ部５４は、上記クレイドル２と他の外部装置とを接続するものである。そして、上記クレイドル側制御部５３は、クレイドル側Ｉ／Ｆ部５１および外部Ｉ／Ｆ部５４を制御するものであり、例えば、上記携帯電話１に対して送信するデータ等を制御するものである。
【００９７】
上記クレイドル２は、上記の構成を備えていることにより、上記携帯電話１が載置されると、当該携帯電話１に対して電力を供給することができる。
【００９８】
ここで、上記携帯電話１がクレイドル２に載置されると、認証処理が行なわれ、認証処理の結果、正しく認証された場合に携帯電話１の蓄電池２２に充電が行なわれる処理について説明する。
【００９９】
図２は、上記セキュリティシステムにおける認証処理を説明するフローチャートである。
【０１００】
まず、接続検出部１９は、携帯電話１とクレイドル２とが接続されたか否かを検出する（Ｓ１０）。
【０１０１】
そして、上記ステップＳ１０にて、携帯電話１がクレイドル２に接続（設置）されたことを検出する（Ｓ１０にてＹｅｓ）と、上記接続検出部１９は、撮像部１８に対して撮影処理命令を出す。また、上記接続検出部１９は、端末側制御部１０の判定部３８に対して認証命令を出す。
【０１０２】
次に、接続検出部１９から撮影処理命令を受信した撮像部１８は撮像（撮影）を行なう（Ｓ１１）。これにより、撮像部１８は、画像データを取得する（Ｓ１２）。その後、撮像部１８は、画像データを取得すると、当該画像データを画像処理部１６に送信する。そして、画像処理部１６にて、上記画像データは、種々の画像処理が行なわれた後、判定部３８に送信される。
【０１０３】
次に、上記接続検出部１９からの認証命令を受信した判定部３８は、認証画像取得部１４を動作させて照合画像記録装置１５から上記取得した画像データを認証するための認証画像データを取得する（Ｓ１３）。
【０１０４】
上記認証画像データと画像データとを取得した判定部３８は、上記両者の類似度を算出する。そして、上記判定部３８は、算出した類似度に基づいて両者が一致しているか否かを判定する。具体的には、上記判定部３８は、算出した類似度が一定値以上であるか否かを判定する（Ｓ１５）。そして、類似度が一定値以上であると判定した場合を「一致」、一定値よりも小さい場合を「一致せず」と判定する。
【０１０５】
そして、上記ステップＳ１５にて、類似度が一定値以上である、つまり、両者は一致していると判定する（Ｓ１５にてＹｅｓ）と、上記判定部３８は、端末側制御部１０に対して両者が一致していることを示す一致信号を送信する。そして、上記一致信号を受信した端末側制御部１０は、電源制御部２１に対して、蓄電池２２の充電を許可する許可信号を送信する（Ｓ１６）。上記許可信号を受信した電源制御部２１は、クレイドル２の電源Ｉ／Ｆ部５２から、クレイドル側Ｉ／Ｆ部５１および携帯電話１の端末側Ｉ／Ｆ部２０を介して供給される電力を上記蓄電池２２に充電する。
【０１０６】
一方、上記ステップＳ１５にて、類似度が一定値よりも小さい、つまり、両者は一定していないと判定する（Ｓ１５にてＮｏ）と、上記判定部３８は、端末側制御部１０に対して両者が一致していないことを示す非一致信号を送信する。そして、上記非一致信号を受信した端末側制御部１０は、上記報知部１１および／または通信部１２を動作させて警告処理を行う。具体的には、上記端末側制御部１０は、上記表示部３３を動作させて認証できていない旨を表示する。また、上記端末側制御部１０は、上記スピーカ３１を動作させて警報音を出力する。また、上記端末側制御部１０は、上記通信部１２を動作させて、上記撮像部１８にて取得された画像データと認証できていない旨とを所定のアドレス宛にメールを送信する。なお、このときのアドレスは、例えば、上記携帯電話１の所有者に連絡を取ることができる宛先である。このようにして警告処理を行なう。
【０１０７】
このようにして、上記セキュリティシステムでは、携帯電話１とクレイドル２とが接続されると、撮像部１８を動作させて画像データを取得するとともに、予め記録されている認証画像データと上記画像データとの類似度を算出することで、両者が一致しているか否かを判定している。そして、上記両者が一致しているか否かの判定に基づいて、予め定められた所定の動作（ここでは、充電処理）の許可／不許可を行なっている。
【０１０８】
ここで、画像データと認証画像データとの類似度の算出方法について説明する。上記画像データと認証画像データを比較する場合、上記の説明では、撮像部１８によって撮像された画像データと照合画像記録装置１５に記録されている認証画像データとを比較している。しかしながら、上記類似度を算出する場合には、上記方法に限定されず、例えば、撮像部１８で撮影した画像データを一旦揮発性メモリ１７に記録させておき、判断部は、上記揮発性メモリ１７に記録されている画像データと、照合画像記録装置１５に記録されている上記認証画像データとの類似度を算出してもよい。この場合には、一旦画像データを揮発性メモリ１７に記憶しているので、判定部３８における両画像データの類似度算出処理と、端末側制御部１０による他の処理動作を並行して行える。
【０１０９】
また、上記撮像部１８にて取得した画像データを上記揮発性メモリ１７に記録することなく、当該画像データと認証画像データとの類似度を算出する場合には、画像データと認証画像データとを直接比較できるので、揮発性メモリ１７を省略することができ、ハードウェアの構成を削減できる。また、揮発性メモリ１７に画像データを記憶させる処理を省略できるので、両画像データ同士の類似度の算出をより高速に行うことができる。
【０１１０】
また、類似度を算出する場合、２つの画像データの全部を使用して類似度を算出してもよく、それぞれの画像データの一部のみを用いて類似度を算出してもよい。
【０１１１】
ここで、上記類似度の算出方法の具体的な方法について説明する。上記画像データと認証画像データとの類似度を算出する方法としては、例えば、上記両画像データを画素単位で比較して、一致している画素が所定値以上存在するか否かによって判断してもよく、上記両画像データからそれぞれ特徴点を抽出し、この特徴点同士を比較することで類似度を算出してもよい。
【０１１２】
この特徴点に基づいて上記類似度を算出する方法の一例について詳細に説明する。まず、上記撮像部１８によって撮影された画像データを、例えば、文字領域、背景領域および網点・写真領域に分離する。そして、１つの画像データに対して各領域に分類されたそれぞれの割合を求めて、その割合を特徴点とする。そして、上記処理を認証画像データについても同様の処理を行い、判定部３８は、上記特定の領域の割合同士を比較し、２つの割合の差が所定値以内であるか否かによって類似度を判定してもよい。なお、上記判定部３８における類似度の算出方法については、上記方法に限定されるものではなく、種々の方法を用いることができる。
【０１１３】
また、例えば、同じ撮影箇所を複数回撮影し、得られた複数の画像データから平均化した画像データ作成して、上記両者（平均化した画像データと認証画像データ）の類似度を算出してもよい。上記平均化した画像データを用いて類似度を算出する方法については後述する。
【０１１４】
また、例えば、上記画像データの一部と認証画像データの一部とから上記類似度を算出してもよい、上記画像データおよび認証画像データの少なくとも一方を拡大または縮小処理した後、両者の比較を行ってもよい。
【０１１５】
なお、上記の説明では、撮像部１８で画像データが取得された後、画像処理部１６にて画像処理が行なわれる構成について説明している。しかしながら、撮像部１８で、判定部３８にて使用する画像データと同じものが得られる場合には、画像処理を行わなくてもよい。また、上記撮像部１８と画像処理部１６とは一体化されていてもよい。
【０１１６】
また、上記の説明では、判定部３８は、接続検出部１９から認証命令を受信した後、照合画像記録装置１５から認証画像データを取得しているが、例えば、画像処理部１６から画像データを取得したことを受けて、上記認証画像データを取得してもよい。つまり、接続検出部１９は、判定部３８に対して認証命令を送信しなくても、認証処理を行なうことができる。
【０１１７】
また、上記の説明では、判定部３８は認証画像取得部１４を動作させて照合画像記録装置１５から画像データと比較するための認証画像データを取得しているが、例えば、上記認証画像データが複数記録されている場合には、上記判定部３８は、上記認証画像データを順次読み出して上記画像データとの類似度を算出してもよい。
【０１１８】
また、上記の説明では、上記警告処理として、警告の表示、警報音の出力および認証できていないことを示すメールの送信の３つの処理を行なっているが、必ずしも全ての処理を行なう必要はなく、少なくとも１つの処理を行なえばよい。また、上記以外の例えば、発光部３２を点灯させる等の警告処理を行ってもよい。
【０１１９】
また、上記の説明では、携帯電話１に、認証画像データを記録している照合画像記録装置１５が設けられている構成について説明しているが、上記照合画像記録装置１５については、上記セキュリティシステムの外部に設けられていてもよい。この場合には、上記認証画像取得部１４が、照合画像記録装置１５から、有線または無線によって上記認証画像データを取得すればよい。また、上記照合画像記録装置１５を、クレイドル２が備えている構成としてもよい。
【０１２０】
また、上記認証画像データとしては、どのような画像でもよいが、例えば、天井、壁の模様、物品、人物およびバーコード等の少なくとも１つであればよい。
【０１２１】
また、上記の説明では、認証処理によって、画像データと認証画像データとの類似度が一定値以上である場合には、携帯電話１の充電を行なっている。しかしながら、上記類似度が一定値以上であると判断した場合に、上記端末側制御部１０は、他の処理を行ってもよい。具体的には、上記端末側制御部１０は、上記携帯電話１が備える各構成を動作させて、例えば、（Ａ）携帯電話１が備える二次電池に対しての充電処理、（Ｂ）携帯電話１が備えるデータの消去、更新および転送のうちの少なくとも１つの処理であるデータ処理、（Ｃ）携帯電話１が備える撮影手段を用いての撮影処理、（Ｄ）携帯電話１に対してアプリケーションソフトのインストール、アップデートおよびアンインストールのうちの少なくとも１つの処理であるアプリケーション処理、および、（Ｅ）携帯電話１が備える電子ロックの施錠または開錠処理、のうちの１つの処理を行なってもよい。なお、このうちデータの消去処理、撮影処理、ソフトのアンインストール処理、起動処理、電子ロックの施錠および開錠処理は、参考例であり、本発明の範疇に含まれない。
【０１２２】
また、上記の説明では、携帯電話１がクレイドル２に設置された時点で直ちに認証処理を行なっているが、例えば、一定時間経過後に認証処理を行ってもよいし、例えば、周期的（定期的）に認証処理を行ってもよい。
【０１２３】
ここで、上記照合画像記録装置１５に認証画像データを記録する記録方法について説明する。
【０１２４】
図３は、上記認証画像データの記録処理を説明するフローチャートである。
【０１２５】
まず、ユーザによって認証画像データの登録命令が出されると、上記端末側制御部１０は、撮像部１８を動作させて、認証画像データとするべく撮影を行なう（Ｓ２１）。そして、上記端末側制御部１０は、上記撮像部１８によって撮影された画像データを取得する（Ｓ２２）。そして、上記端末側制御部１０は、上記照合画像記録装置１５に、上記撮像部１８から取得した画像データを認証画像データとして記録する（Ｓ２３）。
【０１２６】
このようにして、認証画像データを照合画像記録装置１５に記録させることができる。なお、上記撮像部１８は、携帯電話１の撮像部１８でなくてもよい。例えば、デジタルカメラ等で撮影した画像を認証画像データとしてもよい。また、上記認証画像データの登録に関しては、パスワード等によって上記登録処理を行なうことができる人物を制限することが好ましい。
【０１２７】
また、撮像部１８によって撮影した画像データそのものを認証画像データとしてもよいが、例えば、認証画像データとして人物を撮影する際に、撮影した瞬間によって人物の状態が変化することがある。そこで、同じ画像を複数回撮影して、それら複数枚の画像データを基に認証画像データを作成してもよい。以下に、認証画像データの記録処理の他の例について説明する。
【０１２８】
図４は、認証画像データの他の記録処理を説明するフローチャートである。
【０１２９】
まず、ユーザによって認証画像データの登録命令が出されると、上記端末側制御部１０は、撮像部１８を動作させて、認証画像データとするべく撮影を行なう（Ｓ３１）。そして、上記端末側制御部１０は、上記撮像部１８によって撮影された画像データを取得する（Ｓ３２）。その後、端末側制御部１０は、さらに、撮像部１８を動作させて撮影を行なう。そして、上記端末側制御部１０は、上記ステップＳ３２にて取得した画像データと撮影した時刻の異なる、新画像データを取得する（Ｓ３３）。なお、上記画像データと新画像データとは、同じ撮影している対象および撮影している場所は同じものである。つまり、端末側制御部１０は、撮像部１８の位置を固定した状態で、撮影した時刻だけが異なる画像データを、上記撮像部１８を動作させて撮影する。
【０１３０】
その後、端末側制御部１０は、上記画像データと新画像データとの加算処理を行なう（Ｓ３４）。具体的には、複数の画像データのそれぞれの信号値（例えば、輝度値）を加算する。
【０１３１】
そして、端末側制御部１０は、予め指定された回数だけ上記新画像データを取得したか否かを判定する（Ｓ３５）。
【０１３２】
上記ステップＳ３５にて、指定された回数だけ上記新画像データを取得したと判定すると（Ｓ３５にてＹｅｓ）、上記端末側制御部１０は、加算した画像データを、加算した回数で割ることにより、平均化処理を行なう（Ｓ３６）。つまり、上記ステップＳ３６では、取得した複数の画像データの平均化を行なう。一方、上記ステップＳ３５にて、指定された回数だけ上記新画像データを取得していないと判断すると、処理はステップＳ３３に戻り、新画像データの取得と加算処理とを指定された回数だけ繰り返す。
【０１３３】
その後、端末側制御部１０は、平均化された画像データの任意の画素（注目画像とする）を選択し、注目画素とその注目画素に隣接する、例えば、４画素と注目画素に対して斜め隣の４画素との計９画素の上記信号値を取得する（Ｓ３７）。そして、端末側制御部１０は、この注目画素の信号値を、上記９画素の平均値とする（近傍９画素平均処理）（Ｓ３８）。つまり、上記ステップＳ３７では、注目画素の信号値を、周囲の画素（隣接と斜め隣との８画素）を用いて平均化する。そして、上記端末側制御部１０は、上記ステップＳ３８の処理を、上記平均化された画像データの（一番端の画素をのぞく）全ての画素に対して行なうことにより、認証画素データを生成する。そして、上記端末側制御部１０は、生成した認証画素データを照合画像記録装置１５に記録する（Ｓ３９）。
【０１３４】
このようにして、認証画像データを照合画像記録装置１５に記録している。
【０１３５】
なお、上記の説明では、認証処理を一回だけ行なう構成にしている。しかしながら、例えば、認証処理を一回に限定した場合、撮像部１８によって撮影された画像データの状態によっては、当該画像データと認証画像データとが同じものであり、本来ならば認証されるべき画像データであるにも関わらず、認証されない場合がある。そこで、例えば、一定時間内であれば、再度画像データを取得して、認証処理を継続するようにしてもよい。これについて以下に説明する。
【０１３６】
図５は、一定時間内は上記両者の類似度の判定を継続して行なう認証処理を説明するフローチャートである。なお、以下の説明において、上記説明した工程（ステップ）と同じ工程については、上記と同じ工程番号（ステップ）を付して説明し、詳細な説明は省略する。
【０１３７】
まず、接続検出部１９は、携帯電話１とクレイドル２とが接続されたか否かを検出する（Ｓ１０）。
【０１３８】
そして、上記ステップＳ１０にて、携帯電話１がクレイドル２に接続（設置）されたことを検出する（Ｓ１０にてＹｅｓ）と、上記接続検出部１９は、端末側制御部１０の判定部３８に対して認証命令を出す。上記判定部３８は、上記接続検出部１９からの信号を受付けると、タイマー１３を動作させて、携帯電話１とクレイドル２とが接続された時点からの経過時間をカウントする（Ｓ４０）。また、上記接続検出部１９は、撮像部１８に対して撮影処理命令を出す。
【０１３９】
次に、撮影部によって撮影が行なわれた後、上記判定部３８は、認証処理を行なう。具体的には、上記ステップＳ１１〜Ｓ１４の処理が行なわれ、上記判定部３８によって画像データと認証画像データとの類似度が算出される。
【０１４０】
次に、上記判定部３８は、算出した類似度が一定値以上であるか否かを判定する（Ｓ１５）。
【０１４１】
そして、上記ステップＳ１５にて、類似度が一定値以上である、つまり、両者は一致していると判定する（Ｓ１５にてＹｅｓ）と、上記判定部３８は、端末側制御部１０に対して両者が一致していることを示す一致信号を送信する。そして、上記一致信号を受信した端末側制御部１０は、携帯電話１およびクレイドル２が備える部材による任意の動作を許可する（Ｓ４２）。具体的には、例えば、端末側制御部１０は、クレイドル２から電力が供給されている場合には端末側制御部１０に蓄電池２２への充電を許可したり、表示部３３に現在の状態を表示させることを許可したりする。
【０１４２】
一方、上記ステップＳ１５にて、類似度が一定値よりも小さい、つまり、両者は一定していないと判定する（Ｓ１５にてＮｏ）と、上記判定部３８は、上記タイマー１３を参照して、携帯電話１とクレイドル２とが接続された時点から一定時間が経過したか否かを判定する（Ｓ４３）。
【０１４３】
上記ステップＳ４３にて、一定時間が経過していると判定した場合（Ｓ４３にてＹｅｓ）、上記判定部３８は、端末側制御部１０に対して両者が一致していないことを示す非一致信号を送信する。そして、上記非一致信号を受信した端末側制御部１０は、警告処理を行なう（Ｓ４４）。上記警告処理としては、上記ステップＳ１７〜Ｓ１９等の処理を行なう。
【０１４４】
一方、上記ステップＳ４３にて、一定時間が経過していないと判定した場合（Ｓ４３にてＮｏ）、処理はＳ４１に戻る。
【０１４５】
このような処理によって、上記セキュリティシステムは、携帯電話１がクレイドル２に載置されてから一定時間内である場合には再度認証処理を行ない、一定時間が経過しても認証できない場合には警告を報知することができる。
【０１４６】
なお、上記照合画像記録装置１５に、図４のフローチャートに基づく処理によって、平均化された認証画像データが記録されている場合には、上記認証画像データと類似度を比較する画像データに対しても同様の処理を行なった後で、両者の類似度を算出することが好ましい。以下、平均化された認証画像データに対して類似度を算出することにより認証を行なう他の認証処理について説明する。
【０１４７】
図６は、他の認証処理を説明するフローチャートである。
【０１４８】
まず、接続検出部１９は、携帯電話１とクレイドル２とが接続されたか否かを検出する（Ｓ１０）。
【０１４９】
そして、上記ステップＳ１０にて、携帯電話１がクレイドル２に接続（設置）されたことを検出する（Ｓ１０にてＹｅｓ）と、上記接続検出部１９は、端末側制御部１０の判定部３８に対して認証命令を出す。上記判定部３８は、上記接続検出部１９からの信号を受付けると、タイマー１３を動作させて、携帯電話１とクレイドル２とが接続された時点からの経過時間をカウントする（Ｓ４０）。また、上記接続検出部１９は、撮像部１８に対して撮影処理命令を出す。
【０１５０】
その後、端末側制御部１０および撮像部１８は、上記ステップＳ３１〜Ｓ３８の処理を行なうことにより、画像データを取得して、当該画像データの平均化処理を行なう。そして、上記平均化処理が施された画像データ（平均化画像データ）は、判定部３８に送られる。
【０１５１】
そして、上記ステップＳ３８の後、上記判定部３８は、認証画像取得部１４を動作させて照合画像記録装置１５から平均化処理が施されている認証画像データ（平均化認証画像データ）を取得する（Ｓ１３）。
【０１５２】
その後、上記判定部３８は、上記平均化画像データと平均化認証画像データとの比較（Ｓ１４）を行い、両者の類似度が一定値以上であるか否かを判定する（Ｓ１５）。
【０１５３】
そして、上記ステップＳ１５にて、類似度が一定値以上である、つまり、両者は一致していると判定する（Ｓ１５にてＹｅｓ）と、上記判定部３８は、端末側制御部１０に対して両者が一致していることを示す一致信号を送信する。そして、上記一致信号を受信した端末側制御部１０は、携帯電話１およびクレイドル２が備える部材による任意の動作を許可する（Ｓ４２）。
【０１５４】
一方、上記ステップＳ１５にて、類似度が一定値よりも小さい、つまり、両者は一定していないと判定する（Ｓ１５にてＮｏ）と、上記判定部３８は、上記タイマー１３を参照して、携帯電話１とクレイドル２とが接続された時点から一定時間が経過したか否かを判定する（Ｓ４３）。
【０１５５】
上記ステップＳ４３にて、一定時間が経過していると判定した場合（Ｓ４３にてＹｅｓ）、上記判定部３８は、端末側制御部１０に対して両者が一致していないことを示す非一致信号を送信する。そして、上記非一致信号を受信した端末側制御部１０は、上記警告処理を行なう（Ｓ４４）。
【０１５６】
一方、上記ステップＳ４３にて、一定時間が経過していないと判定した場合（Ｓ４３にてＮｏ）、処理はＳ３３に戻る。
【０１５７】
このようにして、平均化処理が行なわれた画像データ同士を比較する場合には、照合画像記録装置１５に予め平均化処理が施された認証画像データを記録させておき、携帯電話１がクレイドル２に接続された後、撮像部１８によって取得された画像データの平均化処理を行なえばよい。
【０１５８】
また、上記方法だけでなく、例えば、照合画像記録装置１５に平均化処理を施してない認証画像データを記録しておく場合には、上記画像データと認証画像データとを比較する際に、これら２つの画像データを、平均化処理した後、両者の類似度を算出すればよい。
【０１５９】
ところで、上記図１に示す携帯電話１の構成の場合、当該携帯電話１は、蓄電池２２で駆動している。従って、この蓄電池２２に蓄積された電力が、認証処理を行なうために必要な量だけない場合には、上記認証処理を行なうことができない。そこで、上記セキュリティシステムでは、上記蓄電池２２で駆動している携帯電話１が接続検出部１９、認証画像取得部１４、判定部３８および撮像部１８の少なくとも１つを備えている場合には、上記認証処理を動作させるために必要な充電を行なった後で、上位認証処理を行なっている。これについて以下に説明する。
【０１６０】
図７は、携帯電話１が蓄電池２２で駆動するものであり、認証画像取得部１４、判定部３８および撮像部１８のうちの少なくとも１つを備える構成である場合に、上記携帯電話１が認証処理を行なうために必要な電力を充電した後で認証処理を行なう充電処理を説明するフローチャートである。
【０１６１】
まず、接続検出部１９は、携帯電話１とクレイドル２とが接続されたか否かを検出する（Ｓ１０）。
【０１６２】
そして、上記ステップＳ１０にて、携帯電話１がクレイドル２に接続（設置）されたことを検出する（Ｓ１０にてＹｅｓ）と、上記接続検出部１９は、端末側制御部１０の判定部３８に対して認証命令を出す。上記判定部３８は上記接続検出部１９からの信号を受付けると、残量検出部２３を動作させて、蓄電池２２に蓄積されている電力の残量を検出する（Ｓ５１）。そして、上記判定部３８は、残量検出部２３によって検出された電力の残量に基づいて、認証処理に必要な構成（ここでは、認証画像取得部１４、判定部３８および撮像部１８）が動作可能な電力が蓄電池２２に蓄積されているか否かを判断する（Ｓ５２）。
【０１６３】
そして、上記ステップＳ５２にて、認証処理に必要な電力が蓄積されていないと判断すると、判定部３８は、電源制御部２１を動作させて、上記蓄電池２２に対して上記認証処理を行なえるだけの充電を行なう（Ｓ５３）。
【０１６４】
その後、上記認証処理が行なわれ（Ｓ４１）、上記判定部３８は、上記平均化画像データと平均化認証画像データとの比較（Ｓ１４）を行い、両者の類似度が一定値以上であるか否かを判定する（Ｓ１５）。
【０１６５】
そして、上記ステップＳ１５にて、類似度が一定値以上である、つまり、両者は一致していると判定する（Ｓ１５にてＹｅｓ）と、上記判定部３８は、端末側制御部１０に対して両者が一致していることを示す一致信号を送信する。そして、上記一致信号を受信した端末側制御部１０は、電源制御部２１に対して、蓄電池２２の充電を許可する許可信号を送信する（Ｓ１６）。これにより、蓄電池２２に充電が行なわれる。
【０１６６】
一方、上記ステップＳ１５にて、類似度が一定値よりも小さい、つまり、両者は一定していないと判定する（Ｓ１５にてＮｏ）と、上記判定部３８は、端末側制御部１０に対して両者が一致していないことを示す非一致信号を送信する。そして、上記非一致信号を受信した端末側制御部１０は、上記警告処理を行なう（Ｓ４４）。
【０１６７】
なお、上記の説明では、携帯電話１に認証画像取得部１４、判定部３８および撮像部１８が全て備えられている場合について説明しているが、例えば、上記携帯電話１が、上記構成のうち２つを備えている場合には、この２つの構成を動作させるために必要な電力量だけを、上記蓄電池２２に充電すればよい。
【０１６８】
また、上記の説明において、携帯電話１の蓄電池２２に蓄積された電力の残量が全くない場合には、上記接続検出部１９も動作しないことになる。この場合には、クレイドル２から供給される電力によって上記接続検出部１９を動作させればよい。また、上記クレイドル２から供給される電力を用いて認証処理を行い、正しく認証された場合に、充電を行なうようにしてもよい。
【０１６９】
また、上記の説明では、認証処理に必要な構成が動作可能な電力を充電する構成としているが、例えば、ステップＳ５２にて、判定部３８が蓄電池２２に蓄積されている電力が少ないと判定すると、端末側制御部１０は蓄電池２２を一定時間充電してもよい。
【０１７０】
ところで、上記の説明では、上記携帯電話１に、認証処理を行なうために必要な構成（接続検出部１９、認証画像取得部１４、判定部３８および撮像部１８）が全て備えられている例について説明している。しかしながら、本実施の形態にかかるセキュリティシステムは、上記に限定されるものではなく、例えば、クレイドル２側に認証処理を行なうために必要な構成が備えられていてもよく、また、クレイドル２と携帯電話１とに認証処理を行なうために必要な構成を分散させる構成であってもよい。これについて以下に説明する。
【０１７１】
図８は、本実施の形態にかかるセキュリティシステムの他の構成を示すブロック図である。なお、以下の説明では、上記と同じ構成については、同じ部材番号を付し、詳細な説明は省略する。
【０１７２】
図８に示すように、上記セキュリティシステムは、上記携帯電話１´とクレイドル２´とを備えている。そして、上記クレイドル２´は、クレイドル側Ｉ／Ｆ部５１、クレイドル側制御部５３（制御手段）、外部Ｉ／Ｆ部５４、電源Ｉ／Ｆ部５２（充電器）、電源制御部２１、タイマー１３、接続検出部１９、撮像部１８、画像処理部１６、認証画像取得部１４、揮発性メモリ１７および照合画像記録装置１５を備えている。そして、クレイドル側制御部５３は、判定部３８を備えている。なお、上記クレイドル側制御部５３は、上記クレイドル２が備える各構成の動作および処理を制御するものであり、上記携帯電話１´が備える各構成を動作させるための命令を上記クレイドル側Ｉ／Ｆ部５１を介して携帯電話１´に送信するものである。
【０１７３】
一方、上記携帯電話１´は、報知部１１、通信部１２、操作部２４、マイク２５、蓄電池２２、残量検出部２３、端末側Ｉ／Ｆ部２０および端末側制御部１０を備えている。
【０１７４】
そして、上記セキュリティシステムでは、上記認証処理をクレイドル２´側で行う。なお、例えば、警告処理を行なう場合および充電処理を行なう場合には、クレイドル側制御部５３が端末側制御部１０を介して携帯電話１´が備えている各構成を利用して上記処理を行なっている。
【０１７５】
次に、クレイドル２と携帯電話１とに認証処理を行なうために必要な構成を分散させたセキュリティシステムについて説明する。
【０１７６】
図９は、本実施の形態にかかるセキュリティシステムのさらに他の構成を示すブロック図である。なお、以下の説明では、上記と同じ構成については、同じ部材番号を付し、詳細な説明は省略する。
【０１７７】
上記セキュリティシステムは、上記携帯電話１´´とクレイドル２´´とを備えている。そして、上記クレイドル２´´は、クレイドル側Ｉ／Ｆ部５１、クレイドル側制御部５３、外部Ｉ／Ｆ部５４、電源Ｉ／Ｆ部５２、認証画像取得部１４、および、接続検出部１９を備えている。また、クレイドル側制御部５３は、判定部３８を備えている。なお、上記照合画像記録装置１５は、外部Ｉ／Ｆ部５４を介して接続されている。つまり、上記照合画像記録装置１５は、クレイドル２´´の外部に設けられており、当該クレイドル２´´と有線で接続されている。また、後述するが、上記照合画像記録装置１５には、複数の認証画像データが記録されている。
【０１７８】
一方、上記携帯電話１´´は、タイマー１３、撮像部１８、画像処理部１６、揮発性メモリ１７、報知部１１、通信部１２、操作部２４、マイク２５、蓄電池２２、残量検出部２３、端末側Ｉ／Ｆ部２０および端末側制御部１０を備えている。また、上記携帯電話１は、ＧＰＳ（位置情報取得手段）６０を備えている。
【０１７９】
上記ＧＰＳ６０（Global Positioning System）とは、衛星を利用して現在位置を知ることができるものである。
【０１８０】
そして、上記セキュリティシステムでは、クレイドル２´´に設けられた接続検出部１９が、クレイドル２と携帯電話１とが接続されたことを検出すると、上記接続検出部１９は、クレイドル側制御部５３の判定部３８に認証処理命令を送信するとともに、クレイドル側Ｉ／Ｆ部５１を介して携帯電話１´´の撮像部１８に画像データの取得命令を出す。
【０１８１】
上記取得命令を受信した撮像部１８は撮影を行って画像データを取得すると、当該画像データを端末側Ｉ／Ｆ部２０を介してクレイドル´´２の判定部３８に送信する。そして、上記判定部３８は、画像データを取得すると、外部Ｉ／Ｆ部５４を介して照合画像記録装置１５にアクセスして認証画像データを取得する。そして、上記画像データと認証画像データとに基づいて認証処理を行なう。
【０１８２】
ここで、上記認証画像データが複数記録されている場合であって、ＧＰＳ６０によって取得した位置情報に基づいて、認証処理を行なうための認証画像データを決定する処理について説明する、
上記セキュリティシステムは、位置情報に基づいて、画像データと比較する認証画像データを変更してもよい。具体的には、例えば、自宅にいる場合には、自宅にある「物」が記録されている認証画像データを使用し、外にいるときにはユーザの顔が記録されている認証画像データを使用するように、位置情報に応じて使用する認証画像データを変更している。これについて以下に説明する。
【０１８３】
図１０は、照合画像記録装置１５に記録されている認証画像データと位置情報とが対応付けられたテーブルを説明するデータ構造である。このテーブルは、照合画像記録装置１５に記録されていてもよく、それ以外の場所（例えば、クレイドル２´´の図示しない記録装置）に記録されていてもよい。そして、図１０に示すように、認証画像データと位置情報とが関連付けられている。具体的には、例えば、認証画像データＡが座標（０，０）と関連付けられており、認証画像データＢが座標（１０，２０）と関連付けられている。また、上記図１０に示すテーブルでは、位置情報と撮像部１８における撮影条件（例えば、解像度、ズーム倍率、および、チルト角パン角）とが対応付けられている。
【０１８４】
そして、上記判定部３８は、上記携帯電話１´´とクレイドル２´´とが接続された位置情報に基づいて、上記認証処理に使用する認証画像データを決定している。この処理について図１１を参照して説明する。
【０１８５】
図１１は、位置情報に基づいて決定された認証画像データを使用した認証処理を説明するためのフローチャートである。
【０１８６】
まず、接続検出部１９は、携帯電話１´´とクレイドル２´´とが接続されたか否かを検出する（Ｓ１０）。
【０１８７】
そして、上記ステップＳ１０にて、携帯電話１´´がクレイドル２´´に接続（設置）されたことを検出する（Ｓ１０にてＹｅｓ）と、上記接続検出部１９は、端末側制御部１０の判定部３８に対して認証命令を出す。上記判定部３８は上記接続検出部１９からの信号を受付けると、ＧＰＳ６０を動作させて、現在の位置情報を取得する（Ｓ６１）。次に、上記判定部３８は、タイマー１３を動作させて、携帯電話１´´とクレイドル２´´とが接続された時点からの経過時間をカウントする（Ｓ４０）。また、上記接続検出部１９は、撮像部１８に対して撮影処理命令を出す。
【０１８８】
その後、ステップＳ１１〜Ｓ１２によって、画像データが取得される。この取得された画像データは上記判定部３８に送信される。
【０１８９】
次に、上記画像データを取得した判定部３８は、ＧＰＳ６０から取得した位置情報に応じた認証画像データを取得する（Ｓ６２）。
【０１９０】
その後、判定部３８は、上記画像データと認証画像データとの類似度を比較する（Ｓ１４）。そして、上記ステップＳ１５にて、類似度が一定値以上であるか否かの判定が行われ、一定値以上である場合には、クレイドル側制御部５３は、クレイドル２´´が備える構成に対して任意の動作を許可する（Ｓ４２）。
【０１９１】
一方、上記ステップＳ１５にて、類似度が一定値よりも小さい、つまり、両者は一定していないと判定する（Ｓ１５にてＮｏ）と、上記判定部３８は、上記タイマー１３を参照して、携帯電話１´´とクレイドル２´´とが接続された時点から一定時間が経過したか否かを判定する（Ｓ４３）。
【０１９２】
上記ステップＳ４３にて、一定時間が経過していると判定した場合（Ｓ４３にてＹｅｓ）、上記判定部３８は、端末側制御部１０に対して両者が一致していないことを示す非一致信号を送信する。そして、上記非一致信号を受信した端末側制御部１０は、警告処理を行なう（Ｓ４４）。
【０１９３】
一方、上記ステップＳ４３にて、一定時間が経過していないと判定した場合（Ｓ４３にてＮｏ）、処理はＳ４１に戻る。
【０１９４】
なお、図１０に示すテーブルは、位置情報と撮像部１８によって撮影される画像の解像度（つまり、撮像部１８における撮影条件）とについても関連付けられている。そして、この場合には、上記撮像部１８は、上記携帯電話１´´とクレイドル２´´とが接続された位置情報に基づいて、解像度を変化させて画像データを取得してもよい。具体的には、例えば、携帯電話１のユーザが自宅にいる場合には、悪意ある第３者に使用されている可能性は低いので低解像度で画像データを取得する一方で、ユーザが外にいる場合（携帯電話１が外にある場合）には、悪意ある第３者によって使用されている可能性があるため、詳細な認証処理を行なうために、高解像度で画像データを取得するといったことができる。なお、この場合には、撮像部１８が、ＧＰＳ６０からの位置情報に応じて、図１０に示すテーブルを参照し、解像度を変更して画像データを取得すればよい。
【０１９５】
なお、上記のセキュリティシステムでは、画像データと一致したと判断された認証画像データの種類に応じて、許可する動作モードを変更するようにしてもよい。つまり、画像データと一致した認証画像データによっては、充電処理のみ許可したり、全ての処理を許可したりしてもよい。
【０１９６】
このように、上記の説明では、位置情報と上記画像データを取得する撮像部１８の撮影条件とを関連づけておき、ＧＰＳ６０によって取得される位置情報に応じて、撮影条件を設定している。
【０１９７】
以上のように、本実施の形態にかかるセキュリティシステムは、携帯電話１と、当該携帯電話１と接続可能であるクレイドル２とを備え、上記携帯電話１とクレイドル２とを接続することで、所定の処理を行なうことができるセキュリティシステムであって、上記携帯電話１とクレイドル２とが接続されたことを検出する接続検出部１９と、照合画像記録装置１５に予め記録されている認証用の画像データである認証画像データを取得する認証画像取得部１４と、上記認証画像データと比較するための画像データを撮影する撮像部１８と、上記接続検出部１９によって携帯電話１とクレイドル２とが接続されたことを検出すると、上記撮像部１８を動作させて画像データを撮影するとともに、上記画像データと上記認証画像データとを比較して、両者が一致しているか否かを判定する判定部３８と、所定の処理を行なう処理部（例えば、電源制御部２１、通信部１２、報知部１１および撮像部１８のうちの少なくとも１つ）と、上記処理部の制御を行なう制御部（クレイドル側制御部５３または端末側制御部１０）とを備えており、上記判定部３８の判定結果に基づいて、上記制御部は、処理部による処理を制御する構成である。
【０１９８】
上記の構成によれば、上記携帯電話１がクレイドル２に接続されると、撮像部１８から画像データを取得し、当該画像データと認証画像データとが一致しているか判定している。そして、上記判定部３８の判定結果に基づいて、上記処理部の動作を制御している。
【０１９９】
つまり、携帯電話１がクレイドル２と接続された時点で画像データを取得するので、認証画像データを正規のユーザしか撮影できないような画像データに設定しておくことにより、他のユーザは、画像データを取得しても、認証画像データと一致させることができない。そして、画像データと認証画像データとが一致しない場合には、処理部を動作させないように制御することができる。
【０２００】
具体的には、例えば、上記認証画像データとして、例えば正規ユーザの顔の画像データを記録させておいた場合には、上記正規のユーザ以外の他人は、画像データと認証画像データとを一致させることができない。従って、上記の構成とすることで、特定のユーザのみに認証を行なうことができる。そして、正しく認証された場合のみに処理部が動作するように制御することができる。
【０２０１】
これにより、上記の構成とすることで、悪意ある第三者による上記所定の処理の実行（処理部における処理）を防止することができる。つまり、携帯電話１の正当な所有者のみに処理部による処理を許可することができる。
【０２０２】
本実施の形態にかかるセキュリティシステムにおいて、上記携帯電話１が、上記照合画像記録装置１５および撮像部１８の少なくとも１つを備える構成であってもよい。
【０２０３】
上記構成によれば、上記携帯電話１に照合画像記録装置１５および撮像部１８との少なくとも１つが設けられている。これにより、クレイドル２の構成を簡単にすることができる。また、例えば、携帯電話１が撮像部１８を備えている場合には、上記携帯電話１をデジタルカメラとして使用することができる。
【０２０４】
本実施の形態にかかるセキュリティシステムにおいて、上記クレイドル２が、上記照合画像記録装置１５および撮像部１８の少なくとも１つを備える構成であってもよい。
【０２０５】
上記の構成によれば、クレイドル２に照合画像記録装置１５および撮像部１８との少なくとも１つが設けられている。これにより、例えば、撮像部１８を備える必要のない携帯電話１に対して、認証用の撮像部１８を設ける必要がない。従って、携帯電話１に、認証のために必要な構成を追加する必要がないので、携帯電話１の構成を簡単にすることができる。
【０２０６】
本実施の形態にかかるセキュリティシステムにおいて、上記処理部は、（Ａ）携帯電話１が備える蓄電池２２に対しての充電処理、（Ｂ）携帯電話１が備えるデータの消去、更新および転送のうちの少なくとも１つの処理であるデータ処理、（Ｃ）携帯電話１が備える撮像部１８を用いての撮影処理、（Ｄ）携帯電話１に対してアプリケーションソフトのインストール、アップデート、アンインストールおよび起動のうちの少なくとも１つの処理であるアプリケーション処理、および、（Ｅ）携帯電話１が備える電子ロックの施錠または開錠処理、のうちの１つの処理を行なう構成であってもよい。
【０２０７】
上記処理部は、上記（Ａ）〜（Ｅ）の少なくとも１つの処理を行なうことができる。従って、上記判定部３８の判定結果に応じて上記処理部の動作を制御することができるので、上記（Ａ）〜（Ｅ）の処理を、例えば、携帯電話１の正当な所有者のみに許可することができる。なお、上記（Ａ）〜（Ｅ）の処理のうち、データの消去処理、撮影処理、ソフトのアンインストール処理、起動処理、電子ロックの施錠および開錠処理は、参考例であり、本発明の範疇に含まれない。
【０２０８】
本実施の形態にかかるセキュリティシステムにおいて、上記携帯電話１は、蓄電池２２を備えており、上記クレイドル２は、上記蓄電池２２に対して充電を行なう電源制御部２１を備え、上記判定部３８によって上記画像データと認証画像データとが一致していると判定されると、上記制御部は、上記蓄電池２２の充電を行なうように上記電源制御部２１を制御する構成であってもよい。
【０２０９】
上記の構成によれば、上記電源制御部２１が処理部に相当する。そして、制御部は、上記判定部３８によって上記両者が一致していると判定されると、携帯電話１が備える蓄電池２２の充電を許可する。
【０２１０】
つまり、上記両者が一致していると認証された場合に、蓄電池２２の充電を行なうことができるので、例えば、携帯電話１の正当な所有者のみに充電を許可することができる。
【０２１１】
本実施の形態にかかるセキュリティシステムにおいて、上記蓄電池２２の容量を計測する残量検出部２３を備え、上記携帯電話１は、上記判定部３８および撮像部１８の少なくとも一方とを備え、上記残量検出部２３の測定結果より、上記蓄電池２２に蓄積されている電気容量が上記携帯電話１が備える判定部３８および撮像部１８の少なくとも一方を動作させるために必要な量よりも少ないと判断すると、制御部は、上記判定部３８および撮像部１８を動作させるために必要な量だけの充電を行なうように上記電源制御部２１を制御する構成であってもよい。
【０２１２】
上記携帯電話１に、上記判定部３８および撮像部１８の少なくとも一方が備えられており、携帯電話１を駆動させる蓄電池２２の容量が、携帯電話１が備えている上記手段を動作させるために必要な量よりも少ない場合には、認証を行なうことができない。
【０２１３】
上記の構成によれば、上記蓄電池２２に、上記判定部３８および撮像部１８を動作させるために必要な量の電力がない場合には、上記必要な量の電力になるように充電を行なっている。これにより、認証動作を行なうことができるとともに、必要以上の充電を行なわないので、携帯電話１は、上記認証動作以外の動作を行なうことができない。
【０２１４】
本実施の形態にかかるセキュリティシステムにおいて、さらに、タイマー１３と、外部に警告を発する報知部１１とを備え、上記第１の装置と第２の装置とが接続された時点から所定時間以内に、判定部３８によって上記画像データと認証画像データとが一致していると判定されない場合には、上記制御部は、上記報知部１１を動作させて警告を発する構成であってもよい。
【０２１５】
上記の構成によれば、画像データと認証画像データとが、一定時間内に一致していると判断されない場合には、警告を発する。これにより、悪意の第三者が認証処理を行なった場合には、上記画像データと認証画像データとは一致しないので、警告を発することができる。
【０２１６】
本実施の形態にかかるセキュリティシステムにおいて、さらに、外部装置と通信する通信部１２を備え、上記第１の装置と第２の装置とが接続された時点から所定時間以内に、判定部３８によって上記画像データと認証画像データとが一致していると判定されない場合には、上記制御部は、通信部１２を動作させて、予め決められた連絡先に警告を通知する構成であってもよい。
【０２１７】
上記の構成によれば、画像データと認証画像データとが、一定時間内に一致していると判断されない場合には、通信部１２を動作させて所定の連絡先に一致しない旨を通知する。これにより、例えば、上記第１の装置または第２の装置の所有者に対して、認証が行なわれたことを通知することができる。従って、所有者は、上記第１の装置または第２の装置を紛失または盗難にあったことを知ることができる。
【０２１８】
本実施の形態にかかるセキュリティシステムにおいて、上記制御部は、通信部１２を動作させて、撮像部１８によって取得された画像データを上記予め決められた連絡先に送信する構成であってもよい。
【０２１９】
上記の構成によれば、撮像部１８によって取得された画像データを所定の連絡先に併せて送付する。これにより、例えば、悪意の第三者が認証処理を行なった場合で画像データと認証画像データとが一致しない場合には、上記撮像部１８で撮影した画像データを上記第１の装置または第２の装置の所有者に送信できる。これにより、上記悪意の第三者の特定を有効に行なうことができる。
【０２２０】
本実施の形態にかかるセキュリティシステムにおいて、上記第１の装置および上記第２の装置の少なくとも一方が、位置情報を取得するＧＰＳ６０を備え、撮像部１８によって撮影される画像データの解像度と特定の位置情報とが関連付けられており、上記第１の装置と第２の装置とが接続された位置情報に基づいて、上記撮像部１８は解像度を変化させて画像データを取得する構成であってもよい。
【０２２１】
上記ＧＰＳ６０とは、例えば、衛星から位置情報を取得するものであり、具体的には、ＧＰＳ６０等が挙げられる。
【０２２２】
上記の構成によれば、画像データを取得する際に、上記位置情報によって解像度を変えて取得している。これにより、例えば、第１の装置のユーザが自宅にいる場合には、悪意ある第３者に使用されている可能性は低いので低解像度で画像データを取得する一方で、ユーザが外にいる場合には高解像度で画像データを取得するといったことができる。これにより、詳細に認証処理を行なう場合と簡単に認証処理を行なう場合とを、位置情報によって使い分けることができる。
【０２２３】
本実施の形態にかかるセキュリティシステムにおいて、上記第１の装置および上記第２の装置の少なくとも一方が、位置情報を取得するＧＰＳ６０を備え、上記照合画像記録装置１５には、複数の認証画像データが特定の位置情報と関連付けられて記録されており、上記第１の装置と第２の装置とが接続された位置情報に基づいて、上記判定部３８は、上記撮像部１８によって取得された画像データと比較するための認証画像データを決定する構成であってもよい。
【０２２４】
例えば、上記認証画像データが、置物等の物に基づく画像データの場合、上記第１の装置および第２の装置が存在する位置によっては、撮像部１８を用いて認証画像データと対応した画像データを取得できない場合がある。
【０２２５】
上記の構成によれば、位置情報に基づいて、認証のために用いる認証画像データを決定している。従って、第１の装置および第２の装置が存在する位置によっては、認証画像データに対応した画像データを取得できない等の問題を解決することができ、より確実に認証を行なうことができる。
【０２２６】
また、本実施の形態にかかるセキュリティシステムは、クレイドル２と、前記クレイドル２に対応した携帯電話１からなるセキュリティシステムにおいて、画像データを登録しておく照合画像記録装置１５と、画像を撮影する撮像部１８とを備え、前記クレイドル２に前記携帯電話１が設置されたことに応答し、前記照合画像記録装置１５内に登録されている画像データと、前記撮像部１８にて撮影した画像データとを比較し、一致した場合に、任意のモードに移行する構成であってもよい。
【０２２７】
上記の構成とすることで、クレイドル２に携帯電話１を設置するときに画像を撮影し、画像認証を行うことで、任意のモードへの移行をすることができる。具体的には、画像認証の結果が不可の場合は充電を行わないことにより、悪意ある第三者が充電を繰り返し行い、暗証番号の解読や、データが漏洩するのを防ぐのに効果がある。クレイドル２に設けた外部インターフェイスがパーソナルコンピュータやサーバーなどの他の機器と接続されていれば、画像認証されたのちに携帯電話１内のデータの更新やバックアップ、消去することも可能であり、セキュリティの向上が図れる。また、電子ロックの施錠／解錠を行なうようにしてもよい。また、前記撮像装置と照合画像記録装置１５が携帯電話１に搭載されている場合には、画像認証が前記携帯電話１内で実行できるので、外出先にわざわざ専用のクレイドル２を持参する必要は無い。また、本実施の形態にかかるセキュリティシステムは、さらに、前記照合画像記録装置１５、前記撮像部１８のうち、少なくとも１つを前記クレイドル２が備えている構成であってもよい。また、本実施の形態にかかるセキュリティシステムは、さらに、前記照合画像記録装置１５、前記撮像部１８のうち、少なくとも１つを前記携帯電話１が備えている構成であってもよい。また、本実施の形態にかかるセキュリティシステムは、さらに、上記任意のモードとは、充電モード、データ消去、データ更新、データ転送、データ入力、撮影モード、アプリケーションの起動、アプリケーションソフトのインストールとアップデート、アプリケーションソフトのアンインストール、電子ロックの施錠／解錠、を含む構成であってもよい。なお、このうち、データ消去、撮影モード、ソフトのアンインストール、アプリケーションの起動、電子ロックの施錠および開錠は、参考例であり、本発明の範疇に含まれない。また、本実施の形態にかかるセキュリティシステムは、さらに、前記携帯電話１が蓄電池２２を備え、移行する任意のモードが充電モードで、且つ、前記撮像部１８と前記照合画像記録装置１５を照合するための前記蓄電池２２のバッテリー残量が充分でないとき、前記撮像部１８と前記照合画像記録装置１５を照合するための最低限の充電を行う構成であってもよい。また、本実施の形態にかかるセキュリティシステムは、さらに、前記携帯電話１に対して、前記クレイドル２が前記撮像部１８と前記照合画像記録装置１５を照合するための電源を供給する構成であってもよい。また、本実施の形態にかかるセキュリティシステムは、さらに、前記クレイドル２に前記携帯電話１が設置されたことを判定する判定部３８と、時間をカウントし、特定の時間を記憶するタイマー１３と、警報を発する報知部１１とを備え、前記携帯電話１を前記クレイドル２に設置したら前記タイマー１３が時間をカウントし、前記タイマー１３に記憶された時間に達する前に、前記照合画像記録装置１５内に登録されている画像データと、前記撮像部１８で撮影した画像データが一致しない場合に、前記報知部１１で警告を発するようにする構成であってもよい。
【０２２８】
このセキュリティシステムにタイマー１３と報知部１１を備えることにより、前記携帯電話１を前記クレイドル２に設置されてからの時間経過を判断し、一定時間内に認証がされない場合には警告を発してもよい。この際の警告とは、音、光、表示、などの手段が考えられる。また、上記セキュリティシステムは、他の機器と通信する通信部１２を備え、メールアドレスや電話番号などの連絡先を登録することにより、前記携帯電話１を前記クレイドル２に設置されてから一定時間内に認証がされない場合には、前記連絡先に通知してもよい。その際に前記撮像装置で撮影された画像を連絡先に送信することも可能とする。
【０２２９】
つまり、本実施の形態にかかるセキュリティシステムは、さらに、前記クレイドル２に前記携帯電話１が設置されたことを判定する判定部３８と、時間をカウントし、特定の時間を記憶するタイマー１３と、特定の連絡先を記憶する通信制御部３６と、他の機器と通信する通信部１２とを備え、前記携帯電話１を前記クレイドル２に設置したら前記タイマー１３が時間をカウントし、前記タイマー１３に記憶された時間に達する前に、前記照合画像記録装置１５内に登録されている画像データと、前記撮像部１８で撮影した画像データが一致しない場合に、前記通信制御部３６に記憶されている連絡先に、前記通信部１２を用いて通知する構成であってもよい。また、本実施の形態にかかるセキュリティシステムは、さらに、前記連絡先に通知する際に、前記撮像部１８で撮影した画像データを送る構成としてもよい。また、本実施の形態にかかるセキュリティシステムは、さらに、前記クレイドル２に前記携帯電話１が設置されたことを判定する判定部３８と、ＧＰＳ６０とを備え、前記携帯電話１を前記クレイドル２に設置したら、前記ＧＰＳ６０によって取得する位置情報によって移行するモードを選択する構成であってもよい。
【０２３０】
また、本実施の形態にかかるセキュリティシステムは、さらに、前記クレイドル２に前記携帯電話１が設置されたことを判定する判定部３８と、ＧＰＳ６０とを備え、前記携帯電話１を前記クレイドル２に設置したら、前記照合画像記録装置１５内に登録されている画像データの中から前記撮像部１８が撮影し比較する対象を、前記ＧＰＳ６０によって取得する位置情報によって変える構成であってもよい。
【０２３１】
このように、上記セキュリティシステムは、従来のように、端末とクレイドル２の間でＩＤコードを転送して認証を行う構成と比べて、充電する際には必ず対となる端末（携帯電話１）とクレイドル２を用意する必要がない。従って、例えば、出張や旅行などの外出先でも必ずクレイドル２を持参する必要がなくなる
また、複数の認証画像データと複数の移行するモードやアプリケーションを関連付けることにより、認証対象によって異なるモードやアプリケーションを起動することも可能である。
【０２３２】
また、ＧＰＳ６０およびＲＦＩＤ等の少なくとも１つの位置情報取得部を設け、場所（クレイドル２と携帯電話１とが接続された場所）によって許可する動作モードやアプリケーションの切り替えを行ったり、撮影すべき対象を切り替えることにより、例えば自宅やオフィスでは壁や天井を認証対象とし、外出先ではタイマー１３や指輪を認証対象にすることにより、セキュリティの向上や利便性の向上を図ることができる。
【０２３３】
また、登録されている認証データを閲覧できないようにすることで、携帯電話１を紛失した場合などに、第三者が充電を繰り返して悪用することを防ぐことが可能である。
【０２３４】
また、上記照合画像記録装置１５に複数の認証画像データが記録されている場合に、上記複数の認証画像データのそれぞれと、処理手段（報知部１１、および／または、電源Ｉ／Ｆ部）における処理とを関連づけて、上記照合画像記録装置１５に記憶しておき、上記判定部３８にて、両者（画像データと認証画像データと）が一致している（一致条件を満たしている）と判定された認証画像データに関連付けられている処理手段における処理を行ってもよい。
【０２３５】
これにより、例えば、自宅を示す認証画像データと取得した画像データとが上記一致条件を満たしたと判定した場合には、充電とデータのバックアップを行い、それ以外の認証画像データと一致条件を満たしたと判定した場合には、充電のみを行なうといったことが実現できる。
【０２３６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２３７】
最後に、上記セキュリティシステムの各ブロックは、ハードウェアロジックによって構成してもよいし、次のようにＣＰＵを用いてソフトウェアによって実現してもよい。
【０２３８】
すなわち、上記セキュリティシステムは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである上記セキュリティシステムの制御プログラムのプログラムコード（実行形式プログラム、中間コードプログラム、ソースプログラム）をコンピュータで読取り可能に記録した記録媒体を、上記セキュリティシステムに供給し、そのコンピュータ（またはＣＰＵやＭＰＵ）が記録媒体に記録されているプログラムコードを読み出し実行することによっても、達成可能である。
【０２３９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２４０】
また、上記セキュリティシステムを通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Bluetooth（登録商標）、８０２．１１無線、ＨＤＲ、携帯電話１網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２４１】
このように本明細書において、手段とは必ずしも物理的手段を意味するものではなく、各手段の機能がソフトウェアによって実現される場合も包含する。さらに、一つの手段の機能が、二つ以上の物理的手段により実現されても、もしくは、二つ以上の手段の機能が、一つの物理的手段により実現されてもよい。
【産業上の利用可能性】
【０２４２】
本発明にかかるセキュリティシステムは、例えば、携帯電話とクレイドルとが接続された時点で認証を行なう用途に適用であり、特に、カメラ付き携帯電話またはデジタルカメラとクレイドルとが接続された時点で認証を行なう用途に好適である。
【図面の簡単な説明】
【０２４３】
【図１】本実施の形態にかかるセキュリティシステムの概略構成を説明するブロック図である。
【図２】上記セキュリティシステムにおける認証処理を説明するフローチャートである。
【図３】認証画像データの記録処理を説明するフローチャートである。
【図４】認証画像データの他の記録処理を説明するフローチャートである。
【図５】一定時間内は上記両者の類似度の判定を継続して行なう認証処理を説明するフローチャートである。
【図６】他の認証処理を説明するフローチャートである。
【図７】携帯電話が認証処理を行なうために必要な電力を充電した後で認証処理を行なう充電処理を説明するフローチャートである。
【図８】本実施の形態にかかるセキュリティシステムの他の構成を示すブロック図である。
【図９】本実施の形態にかかるセキュリティシステムのさらに他の構成を示すブロック図である。
【図１０】照合画像記録装置に記録されている認証画像データと位置情報とが対応付けられたテーブルを説明するデータ構造である。
【図１１】位置情報に基づいて決定された認証画像データを使用した認証処理を説明するためのフローチャートである。
【符号の説明】
【０２４４】
１  携帯電話（第１の装置；電子機器）
２  クレイドル（第２の装置）
１０  端末側制御部（制御手段）
１１  報知部（報知手段、処理手段）
１２  通信部（通信手段）
１３  タイマー
１４  認証画像取得部（認証画像取得手段）
１５  照合画像記録装置（認証画像記録装置）
１６  画像処理部
１７  揮発性メモリ
１８  撮像部（撮像手段）
１９  接続検出部（接続検出部）
２０  端末側Ｉ／Ｆ部
２１  電源制御部（処理手段）
２２  蓄電池（二次電池）
２３  残量検出部（容量計測手段）
２４  操作部
２５  マイク
３１  スピーカ
３２  発光部
３３  表示部
３４  表示装置
３５  表示ドライバ
３６  通信制御部
３７  通信Ｉ／Ｆ部
３８  判定部（判定手段）
５１  クレイドル側Ｉ／Ｆ部
５２  電源Ｉ／Ｆ部（充電器、処理手段）
５３  クレイドル側制御部（制御手段）
５４  外部Ｉ／Ｆ部
６０  ＧＰＳ（位置情報取得手段）
【図１】
0004633555.tif 000002
【図２】
0004633555.tif 000003
【図３】
0004633555.tif 000004
【図４】
0004633555.tif 000005
【図５】
0004633555.tif 000006
【図６】
0004633555.tif 000007
【図７】
0004633555.tif 000008
【図８】
0004633555.tif 000009
【図９】
0004633555.tif 000010
【図１０】
0004633555.tif 000011
【図１１】
0004633555.tif 000012